(57)【要約】
【課題】繰返し使用しても汚れがなく、細菌が繁殖することもなく、かつ使用上の便利性を改善した新しいタイプのクリーニング用品を提供する。
【解決手段】複数の薄板状のクリーニング材（１０，２０）を互いに積層してなる積層タイプ・クリーニング用品（１ａ）であって、それぞれのクリーニング材（１０，２０）にはクリーニング剤（３０）が含浸され、クリーニング材（１０，２０）のそれぞれは相互に結合され、最外側の層のクリーニング材（１０）におけるクリーニング剤（３０）がなくなると脱落するようになっている。このとき、クリーニング材（１０，２０）の底部に防水層（１０１）、積層タイプ・クリーニング用品（１ａ）の外周縁部に防水層（５０）を設け、またクリーニング材（１０，２０）にはクリーニング剤保持孔（１１，２１）が形成させることが出来る。
【選択図】図１
0003100286.tif 000002
【実用新案登録請求の範囲】
【請求項１】
　複数の薄板状のクリーニング材（１０，２０）が互いに積層されてなる積層タイプ・クリーニング用品（１ａ）であって、それぞれのクリーニング材（１０，２０）にはクリーニング剤（３０）が含浸され、クリーニング材（１０，２０）のそれぞれは相互に結合され、最外側の層のクリーニング材（１０）は使用された後に剥離されるようになっていることを特徴とする積層タイプ・クリーニング用品。
【請求項２】
　前記クリーニング材（１０，２０）は、それぞれの底部に防水層（１０１）が設けられていることを特徴とする請求項１記載の積層タイプ・クリーニング用品。
【請求項３】
　前記積層タイプ・クリーニング用品（１ａ）は、その外周縁部に防水層（５０）が設けられていることを特徴とする請求項１記載の積層タイプ・クリーニング用品。
【請求項４】
　前記クリーニング材（１０，２０）は、クリーニング剤保持孔（１１，２１）が形成されていることを特徴とする請求項１記載の積層タイプ・クリーニング用品。
【請求項５】
　前記積層タイプ・クリーニング用品は、底部に伸縮手段（６０）をもつ容器（４０）に挿着され、かつ前記容器（４０）には上蓋（４１）が被せられることを特徴とする請求項１ないし４のいずれか１項記載の積層タイプ・クリーニング用品。
【考案の詳細な説明】
【技術分野】
【０００１】
　本考案は、クリーニング用品、特に複数のクリーニング材を結合してなり、使用後に汚れたクリーニング材を廃棄して、常に清潔なクリーニング材でクリーニングすることができるようにした積層タイプ・クリーニング用品に関するものである。
【背景技術】
【０００２】
　人の皮膚は、体内からの汗や油の分泌、さらに外部からの汚れにより、毛細孔が塞がれていろいろな皮膚病を引き起こす原因となり、特に顔の皮膚などの繊細な部位などでは炎症を伴い、美容上にも大きな影響をもたらすことがある。
【０００３】
　そのため、人それぞれの、さらに体質に応じて使い分けできるよう多くのクリーニング用品が市場に出ている。乳剤類を例として言うと、多くは適量の乳剤を手のひらにつけて、水を加えて手を揉み合うことによってソフトな泡沫を生じさせ、生じたソフトな泡沫を患部につけて毛細孔に沁み込ませ、脂肪、垢、老化した角質などの汚れをクリーニングし、皮膚の状況を改善するようにしている。しかし、このような製品は、使用者が手で擦るだけであるので、毛細孔に深く染み込ませることができず、そのクリーニング効果が不充分であった。
【０００４】
　また、ブラシやスポンジなどの手段を使用して細かい泡沫を生成させ、毛細孔に沁み込ませて深層までクリーニングすることもあるが、使用者はブラシやスポンジなどとともにクリーニング剤を同時に携帯する必要があり、且つそれらブラシやスポンジなどを多数回使用しようとすると、使用後に洗ってきれいにして保つ必要があり、洗浄が不充分であると細菌が繁殖する原因となり、洗浄を充分にしようとすると大量に洗浄用の用水を浪費するなど、種々の不都合があった。
【０００５】
　尚、携帯に便利なクリーニング材として、不織布に多価アルコール、低級アルコールなど水系クレンジングを含浸させた化粧用ワイパーの提案がある〔特許文献１参照〕。
【０００６】
【特許文献１】特開２００３−９５８６８号公報
【考案の開示】
【考案が解決しようとする課題】
【０００７】
　かかる不都合な点を解決すべく、本考案の目的は、繰返し使用しても汚れがなく、細菌が繁殖することもなく、かつ使用上の利便性を改善した新しいタイプのクリーニング用品を提供することにある。
【課題を解決するための手段】
【０００８】
　かかる目的を達成すべく、本考案請求項１は、複数の薄板状のクリーニング材（１０，２０）が互いに積層されてなる積層タイプ・クリーニング用品（１ａ）であって、それぞれのクリーニング材（１０，２０）にはクリーニング剤（３０）が含浸され、クリーニング材（１０，２０）のそれぞれは相互に結合され、最外側の層のクリーニング材（１０）は使用された後に剥離されるように構成されている。
【０００９】
　本考案請求項２は、請求項１記載の積層タイプ・クリーニング用品であり、前記クリーニング材（１０，２０）は、それぞれの底部に防水層（１０１）が設けられている。
【００１０】
　本考案請求項３は、請求項１記載の積層タイプ・クリーニング用品であり、前記積層タイプ・クリーニング用品（１ａ）は、その外周縁部に防水層（５０）が設けられている。
【００１１】
　本考案請求項４は、請求項１記載の積層タイプ・クリーニング用品であり、前記クリーニング材（１０，２０）は、クリーニング剤保持孔（１１，２１）が形成されている。
【００１２】
　本考案請求項５は、請求項１ないし４のいずれか１項記載の積層タイプ・クリーニング用品であり、前記積層タイプ・クリーニング用品は、底部に伸縮手段（６０）をもつ容器（４０）に挿着され、かつ前記容器（４０）には上蓋（４１）が被せられる。
【考案の効果】
【００１３】
　本考案の効果として、持ち歩きし易く、簡単に使用でき、かつ常に清潔な面でクリーニングできるクリーニング用品が提供される。
【考案を実施するための最良の形態】
【００１４】
　以下に添付図面を参照しながら本考案の好適な実施の形態を説明する。しかし、以下の実施の形態は、本考案を具体的に説明するためのものであり、本考案を狭義的に限定するものではない。
【００１５】
　図１は、本考案のクリーニング用品（１ａ）を示す外観斜視図であり、薄板状のクリーニング材（１０，２０）が複数個積層されてなるものであり、クリーニング材（１０，２０）にはクリーニング剤（３０）が含浸されている。クリーニング材（１０，２０）は、皮膚にあてて擦られたとき皮膚に適度の刺激を与え、かつクリーニング効果が発揮できるような発泡材または布材からなっている。クリーニング材（１０，２０）の具体例を挙げると、木綿、パルプ、ウレタン樹脂、ポリビニルアルコール系樹脂などであり、細い繊維状物をからめた不織布、紙、スプンジなどの形態にする。クリーニング剤（３０）は、アルコール類（多価アルコール類を含む）、界面活性剤、クレンジングオイル、シリカなどの微細固形物、石鹸類などクリーニングの活性成分であり、水溶性ポリマー、皮膚の栄養素、香料、色素などを含んでいてもよい。薄板状のクリーニング材（１０，２０）の積層は、例えばクリーニング剤（３０）を含浸させたクリーニング材（１０，２０）を積み重ね、ナチュラルラバーラテックスなど人の皮膚に害を及ぼさない接着剤により相互に接着される。
【００１６】
　図２の（Ａ）（Ｂ）は、本考案における第１の実施の形態を示す説明図である。クリーニング用品（１ａ）は、（Ａ）に示すように薄板状のクリーニング材（１０，２０）が積層され、使用者が握ってクリーニングすることができるような太さと長さにまとめられている。使用者は、まずクリーニングしようとする皮膚の部位を水（あるいは化粧水）で濡らし、次いで本考案のクリーニング用品（１ａ）の中間部近傍を手で握って、最も外側にあるクリーニング材（１０）を皮膚の部位に当てて擦る。クリーニング剤（３０）が皮膚上にある水（あるいは化粧水）に出会って溶出し、クリーニング材（１０）を擦ることによって皮膚の毛細孔に沁み込み、深層部の脂肪、垢、老化した角質などの汚れを押し出させ、さらにマッサージ効果で皮膚に艶を出させることができる。
【００１７】
　また、クリーニング剤（３０）が使用し尽されたとき、（Ｂ）に示すように使用者はそれまでクリーニングに使用されていたクリーニング材（１０）を剥離し、次の層であるクリーニング材（２０）を外に露出させる。使用されたクリーニング材（１０）は、汚れており、そのまま廃棄され、次の使用は、汚れがなく、細菌による汚染もない新しいクリーニング材（２０）となる。
【００１８】
　また、各クリーニング材（１０，２０）の下面、すなわちクリーニング材（１０）と次の層のクリーニング材（２０）との間に防水層（１０１）を設けて、クリーニング材（１０）が脱落し易く、且つクリーニング中に、汚れが下層のクリーニング材（２０）にまで染み込むことがないように隔離させることができる。これにより、下層のクリーニング材（２０）は、より清潔に保たれる。
【００１９】
　また、積層タイプ・クリーニング用品（１ａ）は、その外周縁部に防水層（５０）を設けて、手で握った場合に、手の汚れがクリーニング材（１０、２０）まで及ぶことがなく、使用していないクリーニング材（１０，２０）を清潔に保つことができる。防水層（５０）の形成は、予めクリーニング材（１０，２０）の外周縁部に防水層（５０）を設けておいてこれを積層する、あるいはクリーニング材（１０，２０）を積層させてから防水層（５０）を設けるなどの方法で行われる。
【００２０】
　防水層（１０１）、防水層（５０）は、例えば粉末状のシリコーン樹脂などを水性エマルションにしたものを塗布してできる。
【００２１】
　図３は、第２の実施の形態を示す説明図である。この例では、クリーニング材（１０，２０）の一部にクリーニング剤保持孔（１１，２１）を設けている。クリーニング剤保持孔（１１，２１）の大きさ、数は任意に決められるが、この形態にすることで、多くのクリーニング剤（３０）を保持できるようになる。
【００２２】
　図４は、第３の実施の形態を示す説明図である。クリーニング用品（１ｂ）は円筒形のほか、花形や星形などの形にすることができ、美観性を高め、さらに独自性を出すことができる。
【００２３】
　図５は、第４の実施の形態を示す説明図である。クリーニング用品（１ａ）は、容器（４０）内に配置し、また容器（４０）には上蓋（４１）をして、外部の汚れや細菌などの侵入を防止できると共に、手で握り易くすることにもでき、使用上便利的になり、さらに手の汚れや細菌などでクリーニング用品（１ａ）が汚れる機会を少なくすることができ、さらに好ましくなる。また、容器（４０）の底部に旋回ガイド・ロッドのような伸縮手段（６０）を配置して、使用時に容器（４０）の底部を旋回して内部のクリーニング用品（１ａ）を上に移動させて使用に供し、使用後に下に移動させて収納し、上蓋（４１）を被せる。このように容器（４０）に入れ上蓋（４１）をすることで、携帯するに便利で、外観も綺麗になる。
【産業上の利用可能性】
【００２４】
　本考案のクリーニング用品は、クリーニング剤とクリーニング材が一体となっているので、使用者は単一の物品だけ携帯すればよく、利便性に富み、携帯用クリーニング用品として有用である。
【図面の簡単な説明】
【００２５】
【図１】本考案を示す外観斜視図である。
【図２】本考案の第１の実施の形態を示す説明図であり、（Ａ）は薄板状のクリーニング材が積層され、使用者が握ってクリーニングできる状態であり、（Ｂ）は最上層のクリーニング剤が使用し尽されたとき、使用者が最上層を剥離して、次の層を露出させる状態を示す説明図である。
【図３】本考案の第２の実施の形態を示す説明図である。
【図４】本考案の第３の実施の形態を示す説明図である。
【図５】本考案の第４の実施の形態を示す説明図である。
【符号の説明】
【００２６】
１ａ、１ｂ：クリーニング用品
１０，２０：クリーニング材
１１，２１：クリーニング剤保持孔
３０：クリーニング剤
４０：容器
４１：上蓋
５０、１０１：防水層
６０：伸縮手段
【図１】
0003100286.tif 000003
【図２】
0003100286.tif 000004
【図３】
0003100286.tif 000005
【図４】
0003100286.tif 000006
【図５】
0003100286.tif 000007